(57)【要約】【課題】載置スペースが少なくてよく、感じよく、安定して、りん棒を載置できるりんの提供を目的とする。【解決手段】基底部と、基底部の周縁から立設したりん側部とを備えたりんであって、りん側部の上面端部にりん棒を載置するための凹形状部を有することを特徴とするりん。【選択図】  図１
2011251108.tif 000002
【特許請求の範囲】
【請求項１】
基底部と、基底部の周縁から立設したりん側部とを備えたりんであって、りん側部の上端部にりん棒を載置するための凹形状部を有することを特徴とするりん。
【請求項２】
前記凹形状部は、りん側部の上端部に対向して複数有し、りん棒を対向する凹形状部間に橋渡しするように載置可能としたことを特徴とする請求項１記載のりん。
【請求項３】
前記凹形状部の幅寸法又は深さ寸法が、りん棒の載置部の外径寸法よりも小さいことを特徴とする請求項１又は２記載のりん。
【発明の詳細な説明】
【技術分野】
【０００１】
本発明は通常棒状のりん棒等で打鈴して、音を出すりんに関し、特にりん棒をりん本体に載置できるものに係る。
【背景技術】
【０００２】
従来のりんはりん本体とは別に仏壇、祭壇、お墓、あるいは卓上等に置かれた棒状のりん棒を取り上げ、把持し、りん本体を叩いて音を出すものである。
しかし、りん棒でりん本体を叩くことで、音をだす構成上、りん本体の他にりん棒を必要とするため、りん棒の置き場に困っていた。
りん棒は概略棒状で、通常、断面が概略丸い形状のため、卓上では、転がりやすく、不安定である。 
りん棒を保持するりん棒台なるものは、従来からあるが、場所をとるために、十分なスペースが必要であり、また、コスト高の原因にもなる。
簡便に、りん棒をりん本体内部に先端を下にして、図７のように、入れておけばよいが、なんとも不恰好で、礼節を重んじる祭壇等に置かれることは良くない。
【０００３】
特許文献１には、りん棒を置くためのりん棒置きをりん台に着脱可能に取り付けたものを開示するが、構造が複雑であり、専用のりん台が必要となるものであった。
【先行技術文献】
【特許文献】
【０００４】
【特許文献１】特開平７−２５０７５３号公報
【発明の概要】
【発明が解決しようとする課題】
【０００５】
本発明は載置スペースが少なくてよく、感じよく、安定して、りん棒を載置できるりんの提供を目的とする。
【課題を解決するための手段】
【０００６】
本発明に係るりんは、基底部と、基底部の周縁から立設したりん側部とを備えたりんであって、りん側部の上端部にりん棒を載置するための凹形状部を有することを特徴とする。
凹形状部があることで、りん本体の上端部の上にりん棒を(りん棒の棒状方向に)ほぼ水平にして、安定設置することができる。
つまり、りん本体の平面視、リング状上端部にりん棒を安定設置できるくぼみ等の凹形状部を有するりん棒の設置機構を備えたことで解決をはかった。
ここで、凹形状部と表現したのは、くぼみ形状の他にりん棒が下まで落ち込まない幅のスリット状の切欠き形状やりん側部の上端部に対向して隆起部を形成することでその隆起部の間に凹形状部を形成したもの等、載置したりん棒が転がり落ちないような凹部を有するものの全てを含む趣旨である。
従って、前記凹形状部は、りん側部の上端部に対向して複数有し、りん棒を対向する凹形状部間に橋渡しするように載置可能にするのがりん棒の安定性に優れ、前記凹形状部の幅寸法又は深さ寸法が、りん棒の載置部の外径寸法よりも小さいものであってもよい。
【発明の効果】
【０００７】
本発明によれば、りん本体のりん側部上端部に凹形状部があることで、棒状のりん棒が転がることなく、そのくぼみ等にりん棒が落としこまれ、安定するため、上端部にリん棒を安定設置して置ける効果が得られる。
【図面の簡単な説明】
【０００８】
【図１】本発明に係るりんの例を示す。
【図２】りん本体にりん棒を載置した例を示す。
【図３】凹形状部が４箇所あるりんの例を示す。
【図４】凹形状部が花びら状になっている例を示す。
【図５】凹形状部がスリット状になっている例を示す。
【図６】凹形状部のその他の形状例を示す。
【図７】従来のりんの例を示す。
【発明を実施するための形態】
【０００９】
従来は、図７に示すように上端部はほぼ水平であり、通常、断面の概略丸いりん棒では、転がり落ちて、棒状方向がほぼ水平になるように安定設置することができなかった。
【００１０】
これに対して、本発明に係るりん１０は基底部１５の周縁からりん側部１１を立設し、りん側部１１の上端部１２に凹形状部１３を形成した。
これにより、図２に示すようにりん棒２０をこの凹形状部１３に落とし込むようにして載置できる。
また、りん本体（りん側部）をりん棒２０で打鈴し、鳴らしたあと、りん本体の上端部１２にりん棒２０を置くことで、りん本体の振動を止めて、鳴りを鎮める効果を発揮する。
【００１１】
ここで、上端部とは、上方に開口する凹部を上面とした概略椀状のりん本体の端部で、平面視概略円形状を示す部分である。
図１及び２に示した実施例は凹形状部１３の深さ寸法ｓがりん棒２０の外径寸法よりもやや小さい例を示す。 
【００１２】
もちろん、本発明のりんは、必ずしも転がりやすい一般の棒状のりん棒で叩く必要はない。
転がりにくいりん棒で、音を出しでも、なんらかまわない。
一般に普及している棒状のりん棒に対応していることが本発明の特徴である。
【００１３】
本発明は上端部にくぼみを有するりんにすることで、結果として、思わぬ効果があることが判明した。
音色がその形状や箇所の配置によって変化するのである。
つまり、凹形状や大きさや配置を工夫することで、音色を変化させることが可能となった。
特に高音域に対して、極端な違いが見出せるために、涼やかな好みの音（振動モードが適度に増えた音）を得ることができるようになった。
また、りんの音の複数あるモードのうち、一番低いほうから１次モード、次に高いモードを２次モードとした場合に、その親和性（和音的要素である位置関係）を向上させる手段として、非常に簡便な方法として、利用価値が高いことが判明した。
【００１４】
図１及び２の実施例では、凹形状部１３が２箇所に設けた例であるが、りん棒の転がり落下を防止する点からは１箇所でもよい。
従って、凹形状部１３の数に特に限定はないが、複数あるほど、多くの位置で、りん棒を棒状方向に水平安定に置けるため、便利である。  
また、りん棒の両端を互いに図２のように２つの対向する凹形状部１３に橋渡しするように載置できるのが安定保持の点でよい。
もちろん上端部１２が波のように、多数の凹形状部１３が連続して、連なっていてもよい。
【００１５】
図３は凹形状部１３が、２箇所ずつ対向配置した４箇所にあるりんの斜視図である。
図２のように、必ずりん１０の中心部でりん棒２０を保持する必要はない。
都合のよい、凹形状部１３にりん棒を落とし込んで、安定させればよい。
また、図３に示した例は凹形状部１３の深さがりん棒２０の外径よりもやや深い例となっている。
【００１６】
凹形状部１３は、図６に示すように円状であっても、角ばった形状であってもよい。
要は、そのくぼみにより、りん棒が転がり落ちるのを防ぐ効果があればよい。
図６の（ａ）〜（ｅ）のような、さまざまな凹形状部１３ａ〜１３ｅをりんの意匠と合せて、選択すればよい。  
【００１７】
凹形状部１３があることで、意匠的な広がりも見い出せる。
例えば、図４のように、りん側部１１を花模様として、花びらをかたどり、花びら一枚一枚との重なった隙間をくぼみとして、安定設置する構造としてもよい。
さらには、図５に示すように凹形状部をりん側部１１の上端部１２から基底部１５側に向けて深く切り込んだスリット状の凹形状部１３ａにしてもよい。
このようにすると、１次モードの振動数の変化とスリットにより分割されたエレメント１４が振動し、深みのある音色になる。
この場合には、凹形状部の幅寸法ｄがりん棒２０の対応する外径寸法よりも小さくする。
さらには、スリットの上部の開口寸法がりん棒の外径よりも大きくても、スリット状の内側の途中にりん棒がそれ以上落ちないように突起を設けてもよい。
また、このようにりん側部をスリットにて分割すると、分割されたエレメント１４の上端側を花びらのように広げた形状に変形することもできる。
【符号の説明】
【００１８】
１０        りん
１１        りん側部
１２        上端部
１３        凹形状部
１５        基底部
２０        りん棒
【図１】
2011251108.tif 000003
【図２】
2011251108.tif 000004
【図３】
2011251108.tif 000005
【図４】
2011251108.tif 000006
【図５】
2011251108.tif 000007
【図６】
2011251108.tif 000008
【図７】
2011251108.tif 000009